(57)【要約】【課題】装飾プレートを容器本体の底面に対して傾斜させてキャップのプレート嵌着部に設ける場合に、プレート嵌着部への装飾プレートの嵌着が容易であると共に、見た目も良い装飾プレート付き容器を提供する。【解決手段】容器本体及びその口部が被嵌されるキャップ３を備え、該キャップ３の天面に設けられたプレート嵌着部４に円形の装飾プレート５が嵌着された装飾プレート付き容器であって、プレート嵌着部４は、装飾プレート５の嵌着状態下において該装飾プレート５の周縁端部５１に接近して配設される環状立設部４２を備え、前記容器本体の前記口部がキャップ３により被嵌された状態下において、環状立設部４２は、その上端部４２が該容器本体の底面に対して傾斜しており、装飾プレート５は、その周縁端部５１がその全周に亘って表面５２から裏面５３に向けて窄まるように傾斜している。【選択図】図４
2006232312.tif 000002
【特許請求の範囲】
【請求項１】
容器本体及びその口部が被嵌されるキャップを備え、該キャップの天面に設けられたプレート嵌着部に円形の装飾プレートが嵌着された装飾プレート付き容器であって、
前記プレート嵌着部は、前記装飾プレートの嵌着状態下において該装飾プレートの周縁端部に接近して配設される環状立設部を備え、
前記容器本体の前記口部が前記キャップにより被嵌された状態下において、前記環状立設部は、その上縁部が、該容器本体の底面に対して傾斜しており、
前記装飾プレートは、その周縁端部がその全周に亘って表面から裏面に向けて窄まるように傾斜している装飾プレート付き容器。
【請求項２】
前記プレート嵌着部の底部に、前記装飾プレートを付着させ固定するプレート付着部を備える請求項１記載の装飾プレート付き容器。
【請求項３】
前記プレート付着部は、前記装飾プレートの裏面に接するプレート配設リブからなる請求項２に記載の装飾プレート付き容器。
【請求項４】
前記プレート配設リブは、略円形であって、同心円状に複数個設けられている請求項３記載の装飾プレート付き容器。
【請求項５】
前記装飾プレートは、透明の樹脂からなる請求項１〜４の何れかに記載の装飾プレート付き容器。
【請求項６】
前記装飾プレートは、装飾用凸レンズである請求項５記載の装飾プレート付き容器。
【発明の詳細な説明】
【技術分野】
【０００１】
本発明は、容器本体及びその口部が被嵌されるキャップを備え、該キャップの天面に装飾プレートが嵌着されている装飾プレート付き容器に関する。
【背景技術】
【０００２】
従来より、容器本体及びその口部が被嵌されるキャップを備え、該キャップの天面に設けられたプレート嵌着部に装飾プレート（デザイン性向上、表示等の装飾のための板状の部材）が嵌着されてなる装飾プレート付き容器が製造、販売されている（例えば、下記特許文献１参照）。
【０００３】
【特許文献１】特開２０００−２５５６１８号公報
【発明の開示】
【発明が解決しようとする課題】
【０００４】
このような装飾プレート付き容器として、図５に模式的に示すように、容器全体のデザインを向上させるなどの目的で、装飾プレート５を容器本体（図示せず）の底面に対して傾斜させた形態の容器を考えることができる。
【０００５】
しかし、このような図５に示す装飾プレート付き容器において、キャップ３のプレート配設面４１を前記容器本体の底面に対して傾斜させることにより、装飾プレート５を該容器本体の底面に対して傾斜させて設け、容器全体のデザイン性を向上させようとする場合には、プレート配設面４１の平面視形状（前記容器本体の底面の直交線Ｚ方向から視た正投影図法による投影形状）が円形となっているため、プレート配設面４１の直交線Ｗ方向から視た正投影図法による投影形状が楕円形となる。そのため、楕円形の装飾プレート５を用いてキャップ３を構成することになるが、楕円形の装飾プレート５では、それをプレート嵌着部４に嵌着させる際に長径方向及び短径方向の位置合わせが必要となるため、円形の装飾プレートとは異なり、プレート嵌着部４への装飾プレート５の嵌着に手間が掛かる。しかも、楕円形の装飾用凸レンズは、それ自体の製造コストが高く、製造コスト的に好ましくない。
【０００６】
また、装飾プレート５の周縁端部５１と環状立設部４２の内周面４２Ａとが点接触状態となり、両者間に隙間が空き、見た目も好ましくなく、また、両者の接触面積が小さいため、接着剤を用いたとして、両者の嵌着状態が不安定である。
【０００７】
従って、本発明の目的は、装飾プレートを容器本体の底面に対して傾斜させてキャップのプレート嵌着部に設ける場合に、プレート嵌着部への装飾プレートの嵌着が容易であると共に、見た目も良い装飾プレート付き容器を提供することにある。
【課題を解決するための手段】
【０００８】
本発明は、容器本体及びその口部が被嵌されるキャップを備え、該キャップの天面に設けられたプレート嵌着部に円形の装飾プレートが嵌着された装飾プレート付き容器であって、前記プレート嵌着部は、前記装飾プレートの嵌着状態下において該装飾プレートの周縁端部に接近して配設される環状立設部を備え、前記容器本体の前記口部が前記キャップにより被嵌された状態下において、前記環状立設部は、その上縁部が、該容器本体の底面に対して傾斜しており、前記装飾プレートは、その周縁端部がその全周に亘って表面から裏面に向けて窄まるように傾斜している装飾プレート付き容器を提供することにより、上記目的を達成したものである。
【発明の効果】
【０００９】
本発明の吐出容器の容器本体によれば、装飾プレートを容器本体の底面に対して傾斜させてキャップのプレート嵌着部に設ける場合に、円形の装飾プレートを用いることができ、プレート嵌着部への装飾プレートの嵌着が容易であると共に、見た目も良い。
【発明を実施するための最良の形態】
【００１０】
以下、本発明の装飾プレート付き容器を、その好ましい一実施形態について、図面を参照しながら説明する。
本実施形態の装飾プレート付き容器１は、図１及び図２に示すように、容器本体２及びその口部２１が被嵌されるキャップ３を備え、該キャップ３の天面３１に設けられたプレート嵌着部４に円形の装飾プレート５が嵌着された装飾プレート付き容器である。
【００１１】
本実施形態の装飾プレート付き容器１においては、図１〜図４に示すように、プレート嵌着部４は、装飾プレート５の嵌着状態下において該装飾プレート５の周縁端部５１に接近して配設される略円形の環状立設部４２を備え、容器本体２の口部２１がキャップ３により被嵌された状態下において、環状立設部４２は、その上縁部４２Ｂが、該容器本体２の底面２２に対して傾斜している。装飾プレート５は、その周縁端部５１がその全周に亘って表面５２から裏面５３に向けて窄まるように傾斜している。このように構成したことで、本実施形態の装飾プレート付き容器１では、後述するように、装飾プレート５は、その周縁端部５１が環状立設部４２の内周面４２Ａに接近し或いはほとんど接した状態でプレート嵌着部４に嵌着される。
【００１２】
本実施形態の装飾プレート付き容器１について更に詳述する。
本実施形態の装飾プレート付き容器１は、図１及び図２に示すように、容器本体２及びその口部２１が被嵌されるキャップ３からなる。
【００１３】
容器本体２は、図２に示すように、液体が収容される円筒状の収容部２３の上部に液体の排出口である口部２１を備え、収容部２３の下部が底面２２となっている。容器本体２は、ポリエチレンテレフタレート（ＰＥＴ）、ポリエチレン（ＰＥ）、ポリプロピレン（ＰＰ）等の合成樹脂からなる。容器本体２の口部２１は、例えばインジェクション成形やインジェクションブロー成形により形成され、容器本体２の収容部２３及び底面２２は、例えばブロー成形やインジェクションブロー成形、延伸ブロー成形により形成される。尚、容器本体２は、ガラス等から形成することもできる。
容器本体２に収容される液体としては、例えば、化粧液、乳液、クリーム、シャンプー、トリートメントなどが挙げられる。
【００１４】
口部２１の周縁部には、キャップ３の内環垂下部３４の内周面に設けられた雌ねじ部３４Ａ（後述）と螺合する雄ねじ部２１Ａが設けられている。口部２１の頂部には、別体の注液中栓２１Ｂが嵌着されている。
【００１５】
キャップ３は、図１〜図３に示すように、いわゆるスクリューキャップで、例えば、合成樹脂の射出（インジェクション）成形からなる。キャップ３は、図４に示すように、略円形の天板３２と、天板３２の周縁部から垂下する円筒状の外環垂下部３３と、外環垂下部３３の内側に同心円状に天板３２から垂下する円筒状の内環垂下部３４とを備えている。
【００１６】
天板３２の天面３１には、図２〜図４に示すように、円形の装飾プレート５を嵌着し得るプレート嵌着部４が設けられている。
プレート嵌着部４は、装飾プレート５が配設されるプレート配設面４１及び該プレート配設面４１の周縁部に沿って立設した環状立設部４２を備えている。
【００１７】
プレート配設面４１は、装飾プレート５が配設される面で、プレート配設面４１の大きさ及び形状は、装飾プレート５の大きさ及び形状と一致させてある。
プレート配設面４１は、図４に示すように、容器本体２の口部２１がキャップ３により被嵌された状態下において該容器本体２の底面２２に対して傾斜している。容器本体２の底面２２に対するプレート配設面４１の傾斜角度は、デザイン性等を考慮して適宜設定されるが、例えば５度〜４５度である。このプレート配設面４１の傾斜角度に従って装飾プレート５が傾斜する。
【００１８】
また、容器本体２の口部２１がキャップ３により被嵌された状態下において、プレート配設面４１は、図３に示すように、容器本体２の底面２２の直交線Ｚ方向から視た正投影図法による投影形状が楕円形であるが、プレート配設面４１の直交線Ｗ方向から視た正投影図法による投影形状が円形となっている。尚、図３においては、容器本体２の底面２２の直交線Ｚ方向から視た正投影図法による投影形状が楕円形であることを明確にするために、極端に（強調して）図示してある。
【００１９】
プレート嵌着部４の底部には、図２〜図４に示すように、その肉厚を減少させる肉逃げ凹部４３が設けられている。そのため、プレート嵌着部４における肉厚はほぼ均一になっている。
肉逃げ凹部４３には、装飾プレート５を付着させ固定するプレート付着部が設けられている。本実施形態における該プレート付着部は、装飾プレート５の裏面５３に接するプレート配設リブ４４からなる。プレート配設リブ４４は、略円形（円形又は楕円形）であって、肉逃げ凹部４３から立設して同心円状に複数個設けられている。プレート配設面４１は、離間して配設された複数個のプレート配設リブ４４の上面４４Ａを主体として形成されている。
尚、図４においては、プレート配設リブ４４の個数を減らす等、模式的に図示してある。
【００２０】
環状立設部４２は、図４に示すように、プレート配設面４１の周縁部に沿ってキャップの天板３２より立設しているもので、装飾プレート５とプレート嵌着部４との嵌着状態を安定させるために、装飾プレート５の嵌着状態下において該装飾プレート５の周縁端部５１に接近して配設されている。尚、ここでいう「接近」とは、当接した状態のみならず、当接してはいないが、装飾プレート５をプレート嵌着部４に嵌着させる上で支障のない範囲でほとんど接している（僅かに離間している）状態を含む。
【００２１】
環状立設部４２の上端部４２Ｂは、プレート配設面４１の傾斜角度に沿うように傾斜していると共に、略円形である。環状立設部４２の外周面は、上端部４２Ｂから下方の天板３２に向かうに従って外側に広がるように傾斜する滑らかな筒状曲面〔図３（ａ）参照〕としてある。
環状立設部４２の上端部４２Ｂの全体形状、すなわちそれと直交する方向からプレート配設面４１に対して投影した形状は、真円形状が好ましいが、装飾プレート５をプレート嵌着部４に嵌着させる上で支障のない範囲で、真円と異なった形状、例えば楕円形状であってもよい。
【００２２】
環状立設部４２の上端部４２Ｂを含む平面は，図１〜図４に示すように容器本体２の底面２２に対して平行でなく、すなわち傾斜している。環状立設部４２におけるキャップ３の天板３２から上端部４２Ｂまでの高さは、装飾プレート５の周縁端部５１の厚さ等を考慮して適宜設定されるが、例えば３．０ｍｍ（最低部）〜２０．０ｍｍ（最高部）である。
【００２３】
外環垂下部３３は、図１〜図４に示すように、円筒状で、その外周面が容器本体２の収容部２３の外周面及び環状立設部４２の外周面と連続しており、容器全体のデザイン性の向上、キャップ３の捻り易さ向上等のために設けられているものである。
【００２４】
内環垂下部３４は、図４に示すように、円筒状で、その内周面に雌ねじ部３４Ａを備えている。雌ねじ部３４Ａと容器本体２の口部２１の雄ねじ部２１Ａとを螺合させることにより、容器本体２の口部２１にキャップ３を装着できるようになっている。つまり、キャップ３は、いわゆるスクリューキャップとなっている。
【００２５】
装飾プレート５は、図２及び図４に示すように、デザイン性向上、表示等の装飾のためのプレート状の部材で、本実施形態においては、周囲の形状が円形の装飾用凸レンズである。装飾用凸レンズは、デザイン性に奥行感を与えると共に、例えばその裏面に金属箔を貼り付けたり、文字等を印刷することにより、キャップ３に、デザイン性向上、表示等の装飾を施すものである。装飾用凸レンズは、表面５２が周縁端部５１から中心部に向けて滑らかな湾曲形状で突出しており、裏面５３が平面状である。
【００２６】
装飾用凸レンズの大きさ及び厚みは、デザイン性等を考慮して適宜設定されるが、例えば、その大きさは、直径１０ｍｍ〜５０ｍｍ、その厚みは、２ｍｍ〜１５ｍｍである。
装飾プレート５は、合成樹脂、ガラス等から形成することができる。装飾用凸レンズとしては、透明な素材から形成することが好ましい。
【００２７】
好ましい合成樹脂としては、例えば、非結晶性ポリエステル（ＰＥＴ−Ｇ）、ポリシクロヘキシレンジメチレンテレフタレート（ＰＣＴ）、ポリシクロヘキシレンジメチレンテレフタレートとイソフタル酸との共重合体（ＰＣＴＡ）、アクリロニトリル・ブタジエン・スチレンの共重合体（ＡＢＳ）、アクリロニトリルスチレン共重合体（ＡＳ）、ポリカーボネイト（ＰＣ）、ポリスチレン（ＰＳ）等が挙げられる。
本実施形態における装飾プレート５においては、裏面５３に金属箔（図示せず）がホットスタンプ法により印刷されている。
【００２８】
装飾プレート５は、図４に示すように、その周縁端部５１がその全周に亘って表面５２から裏面５３に向けて窄まるように傾斜している。装飾プレート５の周縁端部５１の窄まる角度は、プレート嵌着部４におけるプレート配設面４１と環状立設部４２との角度等を考慮して適宜選択されるが、例えば、装飾プレート５を平面に載置した状態下において、該平面の直交線と周縁端部５１とのなす角度（鋭角）が２．０度〜４５度である。
【００２９】
本実施形態の装飾プレート付き容器１においては、図４（ｂ）に示すように、装飾プレート５の周縁端部５１の一部が環状立設部４２の内周面４２Ａの一部にほとんど接するように接近した状態でプレート嵌着部４に嵌着されるようになっている。
本実施形態の装飾プレート付き容器１においては、装飾プレート５が、キャップ３のプレート嵌着部４のプレート配設面４１に接着剤（図示せず）により接合されている。
【００３０】
上述の構成を有する本実施形態の装飾プレート付き容器１によれば、容器本体２の口部２１がキャップ３により被嵌された状態下において、プレート配設面４１が容器本体２の底面２２に対して傾斜しており、装飾プレート５が容器本体２の底面２２に対して傾斜して設けられているため、容器全体のデザイン性を向上させることができる。
また、プレート配設面４１の直交線Ｗ方向から視た正投影図法による投影形状が円形であるため、円形の装飾プレート５を採用することができる。そのため、装飾プレート５を、その方向性を考慮することなく、キャップ３のプレート嵌着部４のプレート配設面４１に嵌着させることができ、プレート嵌着部４への装飾プレート５の嵌着が容易である。
【００３１】
また、円形の装飾用凸レンズは、それ自体の製造コストが低く、製造コスト的に好ましい。更に、装飾プレート５の周縁端部５１がその全周に亘って表面５２から裏面５３に向けて窄まるように傾斜しており、周縁端部５１の一部が環状立設部４２の内周面４２Ａに接近した状態でプレート嵌着部４に嵌着されるため、装飾プレート５の周縁端部５１と環状立設部４２の内周面４２Ａとが、両者間に隙間がないように見えるので見栄えが良くなる。
【００３２】
プレート嵌着部４には、その肉厚を減少させる肉逃げ凹部４３が設けられており、プレート嵌着部４における肉厚がほぼ均一になっているため、成形時のひけが生じ難くなっている。プレート配設リブ４４がプレート嵌着部４に同心円状に複数個配設されているため、特にひけが生じ難くなっている。
【００３３】
本発明の装飾プレート付き容器は、前述した実施形態に制限されることなく、本発明の趣旨を逸脱しない限り、例えば以下に示すように適宜変更が可能である。
容器本体の収容部及びキャップの外形は、平面視で円形のものに制限されず、楕円形や、四角形、六角形、八角形等の多角形とすることができる。
容器本体の口部へのキャップの装着方式としては、ねじ結合に制限されず、嵌合式でもよい。
【００３４】
キャップのプレート嵌着部と装飾プレートとの接合は、接着剤による接合に制限されず、例えば、両面テープや超音波融着による接合でもよい。
環状立設部は、全体として環状であれば、部分的に不連続でもよい。
プレート配設リブは、円形又は楕円形（略円形）のものに制限されず、例えば、格子状、放射状、多数の短片状、多数の棒状のものでもよい。
プレート嵌着部に肉逃げ凹部及びプレート配設リブを形成せずに、プレート配設面を形成することもできる。
【００３５】
装飾プレートは、周囲の形状が円形であれば装飾用凸レンズに制限されず、例えば、凹レンズ、平面プレート、模様付きプレートが挙げられる。
装飾用凸レンズの裏面に設けられる金属箔は、ホットスタンプ法（熱転写）によるものに制限されず、例えば、インモールド転写によるもの、ラベル貼りでもよい。また、金属箔に制限されず、例えば、ホログラム箔や印刷箔の転写、印刷（シルク印刷やタンポ印刷など）、塗装、蒸着でもよい。
【図面の簡単な説明】
【００３６】
【図１】図１は、本発明の装飾プレート付き容器の一実施形態を示す斜視図である。
【図２】図２は、図１に示す装飾プレート付き容器について、容器本体とキャップと装飾プレートとを分離した状態を示す斜視図である。
【図３】図３は、図１に示す装飾プレート付き容器におけるキャップを示す図で、（ａ）は側面図、（ｂ）は平面図、（ｃ）は装飾プレートが分離した状態を示す平面図である。
【図４】図４（ａ）は、装飾プレートを示す模式的縦断面図で、図４（ｂ）は、装飾プレートが嵌着されたキャップを示す模式的縦断面図である。
【図５】図５（ａ）は、従来の装飾プレートを示す模式的縦断面図で、図５（ｂ）は、従来の装飾プレートが嵌着されたキャップを示す模式的縦断面図である。
【符号の説明】
【００３７】
１  装飾プレート付き容器
２  容器本体
２１  口部
２１Ａ  雄ねじ部
２１Ｂ  注液中栓
２２  底面
２３  収容部
３  キャップ
３１  天面
３２  天板
３３  外環垂下部
３４  内環垂下部
３４Ａ  雌ねじ部
４  プレート嵌着部
４１  プレート配設面
４２  環状立設部
４２Ａ  内周面
４２Ｂ  上端部
４３  肉逃げ凹部
４４  プレート配設リブ
４４Ａ  上面
５  装飾プレート
５１  周縁端部
５２  表面
５３  裏面
【図１】
2006232312.tif 000003
【図２】
2006232312.tif 000004
【図３】
2006232312.tif 000005
【図４】
2006232312.tif 000006
【図５】
2006232312.tif 000007